(57)【要約】【課題】媒体に有する磁気ストライプのデータを読り取りまたは書き込み時の磁気データ処理の精度を向上させる。【解決手段】磁気ストライプ１２を有する媒体１８の磁気データを処理する磁気ヘッド２８と、この磁気ヘッド２８の近傍および前後に設けた複数の搬送ローラ３０〜３４と＃１〜＃５ピンチローラ３５〜３９と、各々の搬送ローラ３０〜３４を搬送させる搬送モータ４０と、＃１〜＃５ピンチローラ３５〜３９を媒体１８に接触または退避させるピンチローラ駆動部７０と、磁気ストライプ１２に磁気ヘッド２８を接触または退避させる磁気ヘッド駆動部７２と、１８媒体の位置を検出する媒体センサ２７と、媒体センサ２７が媒体１８を検出したことに基づいて、媒体１８を所定の位置に搬送させピンチローラ駆動部７０と磁気ヘッド駆動部７２とを制御する制御部６０とを有し磁気ヘッド２８で磁気ストライプ１２の磁気データを処理する。【選択図】      図５
2006065412.tif 000002
【特許請求の範囲】
【請求項１】
磁気ストライプを有する媒体の磁気データを処理する磁気ヘッドと、この磁気ヘッドの近傍および前後に複数の対の搬送ローラとピンチローラと、前記ピンチローラを前記搬送ローラに接触または退避させるピンチローラ移動手段と、前記磁気ストライプに前記磁気ヘッドを接触または退避させる磁気ヘッド移動手段と、前記媒体の位置を検出する位置検出手段と、前記媒体を搬送させる搬送手段とを備えた磁気ストライプデータ処理装置において、前記位置検出手段が媒体を検出したことに基づいて、前記媒体を所定の位置に搬送し前記ピンチローラ移動手段と前記磁気ヘッド移動手段とを制御する制御手段を有することを特徴とする磁気ストライプデータ処理装置。
【請求項２】
請求項１記載の磁気ストライプデータ処理装置において、前記位置検出手段が前記媒体の先端部を検出したことに基づいて、磁気データ処理開始時に、前記磁気ヘッド移動手段により、前記磁気ヘッドを前記磁気ストライプに接触させるとともに前記ピンチローラ移動手段により、前記ピンチローラを前記媒体に対し接触状態から退避状態または退避状態から接触状態に制御する制御手段とを有することを特徴とする磁気ストライプデータ処理装置。
【請求項３】
請求項１記載の磁気ストライプデータ処理装置において、前記媒体の種別ごとに前記位置検出手段が前記媒体の先端部を検出したことに基づいて、所定の位置に前記媒体を搬送させ前記ピンチローラ移動手段と前記磁気ヘッド移動手段とを制御する制御手段とを有することを特徴とする磁気ストライプデータ処理装置。
【請求項４】
請求項２記載の磁気ストライプデータ処理装置において、前記媒体の種別ごとに前記位置検出手段が前記媒体の先端部を検出したことに基づいて、磁気データ処理開始時に、前記磁気ヘッド移動手段により前記磁気ヘッドを前記磁気ストライプに接触させるとともに前記ピンチローラ移動手段により前記ピンチローラを前記媒体に対し接触状態から退避状態または退避状態から接触状態に制御する制御手段とを有することを特徴とする磁気ストライプデータ処理装置。
【請求項５】
請求項１〜請求項４記載の磁気ストライプデータ処理装置において、媒体の種別を選択する媒体選択手段を有することを特徴とする磁気ストライプデータ処理装置。
【発明の詳細な説明】
【技術分野】
【０００１】
本発明は、金融機関で取り扱う通帳等の媒体に有する磁気ストライプの磁気データを読み取りまたは書き込みする磁気ストライプデータ処理装置に関する。
【背景技術】
【０００２】
従来、この種の装置は、磁気ストライプを有する通帳等の媒体を搬走口から挿入し搬送手段により吸入する。さらに媒体を一定の速度で搬送させながら磁気ヘッドにより媒体の磁気ストライプの磁気データを読み取りまたは書き込み処理を行うようになっている。
【０００３】
この装置においては、搬送ローラとピンチローラとで媒体を挟むようにして搬送するようになっている。さらに、ピンチローラには圧力調節手段が設けられている。この圧力調節手段により媒体を挟む圧力を磁気データ処理が終わるまで減圧させる。また、磁気ヘッドに位置調節手段が設けられている。この位置調節手段により、磁気ヘッドを媒体に対し、上下に移動させるようになっている。（たとえば、特許文献１参照）。
【０００４】
また、通帳の磁気ストライプの仕様は、発行元である金融機関等により異なっている。近年の金融機関の合併や業務提携などにより、通帳の異なる複数種の通帳を取り扱う必要がある。しかしながら、従来の磁気ストライプデータ処理装置では、特定の仕様の通帳にのみ対応して磁気ストライプの磁気データの読取りまたは書き込み処理を行うため、異種の磁気ストライプを有する通帳には対応することができないという問題もあった。このため、異なる通帳の磁気ストライプに対して読み取りまたは書き込み可能な装置が提案されている。しかし、磁気ヘッド駆動機構が必要となり、機構が複雑で高価になるという欠点がある。
【特許文献１】特開平７−５７３７４号公報
【発明の開示】
【発明が解決しようとする課題】
【０００５】
しかしながら、搬送手段の一部であるピンチローラは、媒体に対する圧力を減圧するための機構が複雑になる。また、異なる種類の媒体に有する磁気ストライプのデータ処理をするのに精度が低下するという問題がある。
【０００６】
本発明は、媒体に有する磁気ストライプの磁気データの読み取りまたは書き込み時の磁気データ処理の精度を向上させる磁気ストライプデータ処理装置を提供することを目的とする。
【課題を解決するための手段】
【０００７】
本発明に係る磁気ストライプデータ処理装置は、前記課題を解決したものであって、次のようなものである。すなわち、磁気ストライプを有する媒体の磁気データを処理する磁気ヘッドを設けるとともに、この磁気ヘッドの近傍および前後に設けられた複数の搬送ローラとピンチローラとで前記媒体を挟んで搬送させる搬送手段を設けるとともに、ピンチローラを前記媒体に接触または退避させるピンチローラ移動手段を設け、前記磁気ストライプに前記磁気ヘッドを接触または退避させる磁気ヘッド移動手段を設け、前記媒体の位置を検出する位置検出手段を設けた磁気ストライプデータ処理装置において、前記位置検出手段が媒体を検出したことに基づいて、前記媒体を所定の位置に搬送し前記ピンチローラ移動手段と前記磁気ヘッド移動手段とを制御する制御手段とを有する。
【発明の効果】
【０００８】
本発明によれば、媒体に有する磁気ストライプデータの読み取りまたは書き込み精度を上げることができる。また、異なる複数の種類の媒体に有する磁気ストライプデータの読み取りまたは書き込み処理の精度を上げることができる。
【発明を実施するための最良の形態】
【０００９】
以下、本発明の実施の形態について図面を参照して説明する。図１〜図３は、本実施の形態に係る磁気ストライプデータ処理装置で処理可能な媒体である通帳の一例を示すものであり、図１は、通称2000号通帳、図２は、横形通帳、図３は縦形通帳を示す。
【００１０】
図１は、通称、2000号通帳１１と呼ばれているもので、この通帳１１は、図に示すように、通帳１１の外形寸法は，見開きの状態で吸入方向Xに対して、幅１４０ｍｍ、長さ１７５ｍｍであるとともに通帳１１の表紙に縦形の磁気ストライプ１２が設けられている。
【００１１】
図２は、横形通帳１３を示し、この通帳１３の外形寸法は，見開きの状態で吸入方向Xに対して、１６７ｍｍ、長さ１４２ｍｍであるとともに通帳１３の表紙に縦形の磁気ストライプ１２が設けられている。
【００１２】
図３は、縦形通帳１４を示し、この通帳１４の外形寸法は、見開きの状態で吸入方向Xに対して、幅１６７ｍｍ、長さ１４２ｍｍである。通帳１４の表紙および裏表紙に縦形の磁気ストライプ１２が設けられている。前記磁気ストライプ１２には、これらの各通帳１１，１３，１５に口座番号等の個別データが書き込まれるようになっている。各通帳１１，１３，１４を開いた状態で吸入方向Ｘに対し先端を先端部１５、後端を後端部１６と定義する。
【００１３】
図４に本実施の形態に係る磁気ストライプデータ処理装置１７の構成を示す。同図に示すように、利用者からの通称2000号通帳１１、横形通帳１３および縦形通帳１４（以下、これらの通帳を媒体１８という）の挿入と排出を行う搬送口１９と、この搬送口１９より挿入された媒体１８は、搬送路２０に対向して設けられた各搬送ローラ２１、２２、２３と各ピンチローラ２４、２５、２６と、媒体１８の先端部１５および後端部１６を検出する位置検出手段である媒体センサ２７と、媒体１８の磁気ストライプ１２に対し磁気データを読み取り、書き込みする磁気ヘッド２８と、媒体１８へ印字を行う印字部２９と各搬送ローラ３０、３１、３２、３３、３４と、これらの搬送ローラ３０〜３４に対向して設けられた＃１ピンチローラ３５、＃２ピンチローラ３６、＃３ピンチローラ３７、＃４ピンチローラ３８、＃５ピンチローラ３９と、各搬送ローラ３０〜３４を駆動させる搬送モータ４０とを備えて構成している。
【００１４】
媒体センサ２７は、図示しない発光ダイオードと受光トランジスタを対向配置して構成された光検出器で媒体１８を遮断する方向に光軸を透過させてある。この光軸を媒体１８が遮断することにより生じる受光トランジスタの出力変動を利用してＯＮ／ＯＦＦ信号を得ることができる。
【００１５】
図５は、本実施の形態に係る磁気ストライプデータ処理装置１７の構成を示すブロック図である。６０は制御部本体（制御手段）を構成するＣＰＵ（中央処理装置）、６１はこのＣＰＵ６０が各部を制御するためのプログラムデータ等を格納したＲＯＭ（リード・オンリ・メモリ）、６２はＣＰＵ６０が行う各種データ処理のために使用されるメモリエリア等を設けたＲＡＭ（ランダム・アクセス・メモリ）、６３はキーボード操作機能を有する操作タッチパネル６４と複数の選択できる通帳選択手段である通帳選択部６５などの入力制御と利用者へ各種のメッセージを提供するディスプレイ６６を制御するタッチセンサパネル制御部、６７は媒体１８に金額などを印字するための印字部２９を制御する印字制御部、６８は位置検出手段である媒体センサ２７からの出力を入力し、各搬送ローラ２１〜２３，３０〜３４を駆動するステッピングモータで構成された搬送モータ４０や各搬送ローラ３０〜３４に各ピンチローラ３５〜３９を接離させるためのピンチローラ駆動部７０などを制御する搬送制御部、７１は磁気ヘッド駆動部７２と磁気ヘッド２８を制御し、磁気ヘッド２８からデータを処理する磁気処理部制御部である。
【００１６】
前記ＣＰＵ６０（中央処理装置）とＲＯＭ６１、ＲＡＭ６２、タッチセンサパネル制御部６３、印字制御部６７、搬送制御部６８、磁気処理部制御部７１とは制御バス、システムバス、データバス等のバスラインにより電気的に接続されている。なお、前記搬送モータ４０と各搬送ローラ２１〜２３、３０〜３４と各ピンチローラ２４〜２６、３５〜３９は搬送手段７３を構成する。
【００１７】
ピンチローラ移動手段であるピンチローラ駆動部７０は＃１ピンチローラ３５、＃２ピンチローラ３６、＃３ピンチローラ３７、＃４ピンチローラ３８、＃５ピンチローラ３９を各搬送ローラ３０〜３４に対して公知の手段で上下に移動して媒体１８に対し接触または退避させる機能を有する。
【００１８】
磁気ヘッド移動手段である磁気ヘッド駆動部７２は磁気ヘッド２８を搬送路２０に対して公知の手段で上下に移動し磁気ストライプ１２に接触または退避させる機能を有する。
【００１９】
図６〜図８は媒体の種類別の各々＃１〜＃５ピンチローラ３５〜３９のおよび磁気ヘッド２８の位置の変化を示したものである。磁気ヘッド２８の制御による磁気ストライプ１２（以下、ＭＳという）読み取り書き込み時と、媒体１８の搬送による＃１〜＃５ピンチローラ３５〜３９の制御の流れを示す。＃１〜＃５ピンチローラ３５〜３９の制御は媒体１８の搬送路２０上の位置と取り扱う媒体１８の種別をもとに制御される。媒体１８の搬送路２０上の位置は媒体センサ２７による。
【００２０】
図６は2000号通帳１１を適用した各々のローラと磁気ヘッドの位置の時間的変化を示したものである。
【００２１】
（ａ）はＭＳ読み取りまた書き込み開始位置までの搬送中、（ｂ）はＭＳ読み取りまた書き込み開始、（ｃ）はＭＳ読み取りまた書き込み終了。
【００２２】
図７は横形通帳１３を適用した各々のローラと磁気ヘッドの位置の時間的変化を示したものである。
【００２３】
（ａ）はＭＳ読み取りまた書き込み開始位置までの搬送中、（ｂ）はＭＳ読み取りまた書き込み開始、（ｃ）はＭＳ読み取りまた書き込み終了。
【００２４】
図８は縦形通帳１４を適用した各々のローラと磁気ヘッドの位置の時間的変化を示したものである。
【００２５】
（ａ）はＭＳ読み取りまた書き込み開始位置までの搬送中、（ｂ）はＭＳ読み取りまた書き込み開始、（ｃ）ははＭＳ読み取りまた書き込み終了。
【００２６】
次に、図９〜図１１は本実施の形態に係る磁気データ読み取りまたは書き込み処理装置の制御を示すフローチャートである。図を参照にしてフローチャートの磁気ストライプ１２の磁気データを読み取りまたは書き込む動作を説明する。なお、ＳＴは動作ステップを示す。
【００２７】
図９を参照にして、利用者が通称２０００号通帳１１を使用する場合について説明する。ＣＰＵ６０は、ＲＯＭ６１に記憶されたプログラムに基づいて図に示すように処理を行うようになっている。
【００２８】
ステップＳＴ１１にて利用者は、通帳１１を搬送口１９にセットする。
【００２９】
ステップＳＴ１２にて利用者は操作タッチパネル６４である画面の複数の通帳の種別の中から通帳選択部６５により２０００号通帳１１をタッチして選択する。
【００３０】
ステップＳＴ１３にて搬送口１９にセットされた２０００号通帳１１は搬送モータ４０を回転して吸入方向へ搬送される。具体的には搬送制御部６８を介しピンチローラ駆動部７０を駆動制御することにより搬送ローラ２１〜２３とピンチローラ２４〜２６で通帳１１を挟んだ状態で搬送モータ４０を駆動することにより搬送ローラ２１〜２３が駆動させる。
【００３１】
ステップＳＴ１４にて位置検出手段である媒体センサ２７が通帳１１の先端部１５を検出したか否かを判断する。このとき、通帳１１の先端部１５を検出していないと判断した場合はステップＳＴ１３の処理に戻り、通帳１１の先端部１５が遮蔽されることにより媒体センサ２７が通帳１１の先端部１５を検出したと判断した場合は、ステップＳＴ１５にて、媒体センサ２７が通帳１１の先端部１５を検出したことに基づいてＣＰＵ６０は搬送モータ４０をパルスＡの分だけ搬送させる。
【００３２】
ステップＳＴ１６にて＃１ピンチローラ３５をピンチローラ移動手段７０により開（退避）の状態から閉（接触）じさせる。ステップＳＴ１７にてＣＰＵ６０は搬送モータ４０をパルスＢの分だけ搬送させる。ステップＳＴ１８にて＃２ピンチローラ３６を開の状態から閉じさせる。ステップＳＴ１９にて搬送モータ４０をパルスＣの分だけ搬送させる。ステップＳＴ２０にて＃３ピンチローラ３７を開の状態から閉じさせる。ステップＳＴ２１にて搬送モータ４０をパルスＤの分だけ搬送させる。ステップＳＴ２２にて＃４ピンチローラ３８を開の状態から閉じさせる。
【００３３】
ステップＳＴ２３にてＭＳヘッド２８を磁気ヘッド移動手段７２によりアップさせ磁気ストライプ１２に接触させる。ステップＳＴ２４にて＃１ピンチローラ３５、＃３ピンチローラ３７と同期させて閉から開の状態にする。ステップＳＴ２５にてＭＳヘッド２８で磁気ストライプ１２のデータを読み取りまたは書き込みさせる。
【００３４】
ステップＳＴ２６にて搬送モータ４０をパルスＥの分だけ搬送させる。ステップＳＴ２７にてＭＳヘッド２８で磁気ストライプ１２のデータの読み取り書き込みを終了させる。ステップＳＴ２８にてＭＳヘッド２８をダウンさせて磁気ストライプ１２から退避させる。ステップＳＴ２９にて＃５ピンチローラ３９を開の状態から閉じさせる。
【００３５】
ステップＳＴ３０にて搬送モータ４０をパルスＦの分だけ搬送させる。ステップＳＴ３１にて搬送モータ４０の回転をストップさせる。ステップＳＴ３２にて搬送モータ４０を逆回転させて通帳１１を搬送口１９へ搬送させる。
【００３６】
なお、＃１〜＃５ピンチローラ３５〜３９の制御において開くとは対向する媒体１８または各搬送ローラ３０〜３４に対しピンチローラ移動手段７０により個々に退避させることである。また、閉じるとはピンチローラ移動手段７０により媒体１８または各搬送ローラ３０〜３４に対し個々に接触させることである。
【００３７】
また、磁気ヘッド２８のアップとは磁気ヘッド移動手段７２により磁気ヘッド２８を媒体１８および磁気ストライプ１２に接触させ、磁気ストライプ１２の読み取りまたは書き込みの準備状態にあることである。磁気ヘッド２８のダウンとは媒体１８および磁気ストライプ１２から磁気ヘッド移動手段７２により退避させることである。
【００３８】
以上、本実施の形態に係る磁気ストライプデータ装置における構成および制御によりMS処理において媒体が搬送ローラへの突入およびローラからの脱出、さらにMSヘッドと各ローラの摩擦による影響を軽減し磁気データの読み取りまたは書き込み精度を向上させる。また、ＭＳ処理中の媒体搬送時にピンチローラの開閉制御をＭＳ処理に影響が少なくなるように行うことができる。また、ＭＳスタートおよびエンド同期してピンチローラが制御される。
【００３９】
次に、横形通帳１３を使用する場合について説明する。
【００４０】
ＣＰＵは、ＲＯＭに記憶されたプログラムに基づいて図に示すように処理を行うようになっている。
【００４１】
ステップＳＴ４１にて利用者は、横形通帳１３を搬送口１９にセットする。
【００４２】
ステップＳＴ４２にて利用者は操作タッチパネル６４である操作画面の複数の通帳の種別の中から通帳選択部６５により横形通帳１３をタッチして選択する。
【００４３】
ステップＳＴ４３にて搬送口１９にセットされた横形通帳１３を吸入方向へ搬送する。
【００４４】
ステップＳＴ４４媒体センサ２７が通帳１３の先端部１５を検出したか否かを判断する。このとき、通帳１３の先端部１５を検出していないと判断した場合はステップＳＴ４３の処理に戻り、通帳１３の先端部１５が遮蔽されることにより媒体１８の位置検出手段である媒体センサ２７が通帳１３の先端部１５を検出したと判断した場合はステップＳＴ４５にて媒体センサ２７が通帳１３の先端部１５を検出したことに基づいてＣＰＵ６０は搬送モータ４０をパルスＧの分だけ搬送させる。
【００４５】
ステップＳＴ４６にて＃１ピンチローラ３５を開（退避）の状態から閉（接触）じさせる。ステップＳＴ４７にて搬送モータ４０をパルスＨの分だけ搬送させる。ステップＳＴ４８にて＃２ピンチローラを開の状態から閉じさせる。ステップＳＴ４９にて搬送モータ４０をパルスＩの分だけ搬送させる。ステップＳＴ５０にて＃３ピンチローラ３７を開の状態から閉じさせる。ステップＳＴ５１にて搬送モータ４０をパルスＪの分だけ搬送させる。ステップＳＴ５２にてＭＳヘッド２８をアップさせ磁気ストライプ１２に接触させる。ステップＳＴ５３にて＃１ピンチローラ３５を閉の状態から開かせる。
【００４６】
ステップＳＴ５４にてＭＳヘッド２８で磁気ストライプ１２の磁気データを読み取りまたは書き込みさせる。ステップＳＴ５５にて搬送モータ４０をパルスＫの分だけ搬送させる。ステップＳＴ５６にてＭＳヘッド２８で磁気ストライプ１２の磁気データの読み取りまたは書き込みを終了させる。ステップＳＴ５７にてＭＳヘッド２８をダウンさせて磁気ストライプから退避させる。ステップＳＴ５８にて＃４ピンチローラ３８を開の状態から閉じさせる。
【００４７】
ステップＳＴ５９にて搬送モータ４０をパルスＬの分だけ搬送させる。ステップＳＴ６０にて搬送モータ４０の回転をストップさせる。ステップＳＴ６１にて搬送モータ４０を逆回転させて通帳１３を搬送口１９へ搬送させる。
【００４８】
以上、本実施の形態の構成および制御することにより磁気データの読み取りまたは書き込み中に搬送への作用を必要最小限に抑えることができ、かつ磁気データの読み取りまたは書き込み中に影響力が変化しない磁気ストライプデータ処理装置を実現できた。
【００４９】
次に、縦形通帳１４を使用する場合について説明する。
【００５０】
ＣＰＵ６０は、ＲＯＭ６１に記憶されたプログラムに基づいて図に示すように処理を行うようになっている。なお、図に示す横形通帳１４とは吸入方向の外形寸法が同じで、磁気ストライプ１２に書き込まれる磁気データの範囲が異なる。したがって搬送モータ４０を搬送するパルス数が異なるだけなので、説明を省略する。
【００５１】
以上、本発明に係る磁気ストライプデータ処理装置では、媒体を搬送口にセットし搬送路を搬送されると、位置検出手段により媒体が検出され、この検出に基づいて、制御手段がピンチローラ移動手段と磁気ヘッド移動手段を制御することにより媒体がスムーズに搬送され磁気ヘッドにより磁気ストライプデータを正確に読み取りまたは書き込み処理が行われる。
【００５２】
また、媒体の種別ごと、制御手段が制御することでピンチローラ移動手段と磁気ヘッド移動手段をタイミングよく媒体が搬送され、磁気ヘッドにより磁気ストライプの磁気データの読み取りまたは書き込み処理が正確に行われる。
【００５３】
また、複数の搬送ローと対向してピンチローラ配置し、ピンチローラ移動手段を制御することにより、媒体の搬送中のピンチローラによる負荷の変化をなくすことができた。
【００５４】
また、複数の異なる媒体に対して制御手段が種別ごとにピンチローラ移動手段と磁気ヘッド移動手段を制御することにより磁気ストライプの磁気データの読み取りまたは書き込み精度が向上した。
【００５５】
本発明に係る実施の形態では、媒体の位置検出手段を１個の媒体センサを用いたが、ピンチローラと磁気ヘッドの制御を別々のセンサを用いてもよい。
【００５６】
また、通帳の種別を選択する通帳選択手段を用いたがこれに限定されることはなく、複数のセンサを用いて通帳の幅と長さにより種別の選択をする構成にしてもよいことは勿論である。
【００５７】
以上説明したように、本発明は、前記実施の形態に限定されるものではなく、実施の段階ではその趣旨を逸脱しない範囲で種々に変形することが可能であることは言うまでもない。
【図面の簡単な説明】
【００５８】
【図１】本発明に係る磁気ストライプデータ処理装置において媒体として使用する２０００号通帳を説明する図。
【図２】本発明に係る磁気ストライプデータ処理装置において媒体として使用する横形通帳を説明する図。
【図３】本発明に係る磁気ストライプデータ処理装置において媒体として使用する縦形通帳を説明する図。
【図４】本発明に係る磁気ストライプデータ処理装置の要部構成を説明する図。
【図５】本発明に係る磁気ストライプデータ処理装置の構成を示すブロック図。
【図６】本実施の形態に係る２０００号通帳に対する磁気ヘッドおよびピンチローラの位置の時間的変化を表した図。（ａ）ＭＳ処理開始位置までの搬送中、（ｂ）ＭＳ処理開始時、（ｃ）ＭＳ処理終了時。
【図７】本実施の形態に係る横形通帳に対する磁気ヘッドおよびピンチローラの位置の時間的変化を表した図。（ａ）ＭＳ処理開始位置までの搬送中、（ｂ）ＭＳ処理開始時、（ｃ）ＭＳ処理終了時。
【図８】本実施の形態に係る縦形通帳に対する磁気ヘッドおよびピンチローラの位置の時間的変化を表した図。（ａ）ＭＳ処理開始位置までの搬送中、（ｂ）ＭＳ処理開始時、（ｃ）ＭＳ処理終了時。
【図９】図５に示すＣＰＵが２０００号通帳を処理するフローチャート図。
【図１０】図５に示すＣＰＵが横形通帳を処理するフローチャート図。
【図１１】図５に示すＣＰＵが縦形通帳を処理するフローチャート図。
【符号の説明】
【００５９】
１１…２０００号通帳、１２…磁気ストライプ、１３…横形通帳、１４…縦形通帳、１５…先端部、１８…媒体、１９…搬送口、２０…搬送路、２７…位置検出手段（媒体センサ）、３０，３１，３２，３３，３４…搬送ローラ、３５…＃１ピンチローラ、３６…＃２ピンチローラ、３７…＃３ピンチローラ、３８…＃４ピンチローラ、３９…＃５ピンチローラ、４０…搬送モータ、６０…ＣＰＵ、（制御手段）６４…操作タッチパネル、６５…通帳選択手段（通帳選択部）、７０…ピンチローラ移動手段（ピンチローラ駆動部）、７２…磁気ヘッド移動手段（磁気ヘッド駆動部）７３…搬送手段。
【図１】
2006065412.tif 000003
【図２】
2006065412.tif 000004
【図３】
2006065412.tif 000005
【図４】
2006065412.tif 000006
【図５】
2006065412.tif 000007
【図６】
2006065412.tif 000008
【図７】
2006065412.tif 000009
【図８】
2006065412.tif 000010
【図９】
2006065412.tif 000011
【図１０】
2006065412.tif 000012
【図１１】
2006065412.tif 000013